(57)【要約】【課題】特定の条件を満たす場合にのみ宅配箱を開錠可能な宅配便システム等を提供する。【解決手段】宅配箱９の差出人は、宅配箱９の非接触ＩＣカード１３に開錠条件を設定しておく。受取人は入場ゲート７で非接触リーダライタ１７にＩＤカード１９をかざしてユーザＩＤを読み取らせセキュリティルーム３に入り、宅配箱９を載置台５に載置する。載置台５には非接触リーダライタ１５が備えられている。宅配箱９の非接触ＩＣカード１３と載置台５の非接触リーダライタ１５とが通信可能な距離にある場合、宅配箱９の開錠条件判定部２１は、非接触リーダライタ１７から通信Ｉ／Ｆ１８及び非接触リーダライタ１５を介して入場者ＩＤを取得し、非接触ＩＣカード１３から開錠条件データを取得し、取得した入場者ＩＤ及び開錠条件データに応じて、宅配箱９を開錠するか否かを判定し、条件を満たすと判定した場合は、開錠する。【選択図】図１
2008121209.tif 000002
【特許請求の範囲】
【請求項１】
非接触ＩＣカードを有する宅配箱と、
入場ゲートを通過する人のユーザＩＤをＩＤカードから読み取る第１の非接触リーダライタと、
を備えた宅配便システムであって、
前記非接触ＩＣカードには前記宅配箱の鍵を開錠するための条件を示す開錠条件データが記録され、
前記開錠条件データを取得する開錠条件データ取得手段と、
前記第１の非接触リーダライタにより読み取られたユーザＩＤを入場者ＩＤとして取得する入場者ＩＤ取得手段と、
前記開錠条件データ取得手段により取得された前記開錠条件データと、前記入場者ＩＤ取得手段により取得された前記入場者ＩＤと、に応じて前記宅配箱の鍵を開錠するか否かを判定する開錠判定手段と、
を備えることを特徴とする宅配便システム。
【請求項２】
非接触ＩＣカードを有する宅配箱と、
入場ゲートを通過する人のユーザＩＤをＩＤカードから読み取る第１の非接触リーダライタと、
第２の非接触リーダライタを有し、前記宅配箱が載置される載置台と、
を備えた宅配便システムであって、
前記非接触ＩＣカードには前記宅配箱の鍵を開錠するための条件を示す開錠条件データが記録され、
前記開錠条件データを取得する開錠条件データ取得手段と、
前記第１の非接触リーダライタにより読み取られたユーザＩＤを入場者ＩＤとして取得する入場者ＩＤ取得手段と、
前記非接触ＩＣカードと前記第２の非接触リーダライタとが相互に通信可能な距離となった場合に、前記開錠条件データ取得手段により取得された前記開錠条件データと、前記入場者ＩＤ取得手段により取得された前記入場者ＩＤと、に応じて前記宅配箱の鍵を開錠するか否かを判定する開錠判定手段と、
を備えることを特徴とする宅配便システム。
【請求項３】
前記宅配箱は、前記開錠判定手段を有することを特徴とする請求項１または２に記載の宅配便システム。
【請求項４】
前記開錠条件データは、前記宅配箱の開錠に際して立ち会いが必須である人のユーザＩＤの一覧を示す立会必須一覧データを含み、
前記開錠判定手段は、前記立会必須一覧データに含まれるユーザＩＤのすべてが、前記入場者ＩＤ取得手段により取得された前記入場者ＩＤのいずれかと一致する場合に開錠すると判定することを特徴とする請求項１から３のいずれかに記載の宅配便システム。
【請求項５】
前記開錠条件データは、前記宅配箱の開錠に際して立ち会いを禁止とする人のユーザＩＤの一覧を示す立会禁止一覧データを含み、
前記開錠判定手段は、前記立会禁止一覧データに含まれるユーザＩＤが、前記入場者ＩＤ取得手段により取得された前記入場者ＩＤと一つも一致しない場合に開錠すると判定することを特徴とする請求項１から３のいずれかに記載の宅配便システム。
【請求項６】
前記開錠条件データは、前記宅配箱の開錠に際して立ち会いが必須である人のユーザＩＤの一覧を示す立会必須一覧データ、及び前記宅配箱の開錠に際して立ち会いを禁止とする人のユーザＩＤの一覧を示す立会禁止一覧データを含み、
前記開錠判定手段は、前記立会必須一覧データに含まれるユーザＩＤのすべてが、前記入場者ＩＤ取得手段により取得された前記入場者ＩＤのいずれかと一致し、かつ前記立会禁止一覧データに含まれるユーザＩＤが、前記入場者ＩＤと一つも一致しない場合に、開錠すると判定することを特徴とする請求項１から３のいずれかに記載の宅配便システム。
【請求項７】
前記開錠条件データは、ユーザＩＤごとの重み付けを点数で示した重み付け点数データを含み、
前記開錠判定手段は、前記入場者ＩＤ取得手段により取得された前記入場者ＩＤ及び前記重み付け点数データに基づいてすべての入場者分の点数の合計を算出し、この合計が所定の閾値以上の場合にのみ開錠すると判定することを特徴とする請求項１から３のいずれかに記載の宅配便システム。
【請求項８】
前記開錠条件データは、前記宅配箱を開錠可能な時間帯を示す開錠可能時間帯データを含み、
前記開錠判定手段は、更に、前記宅配箱を開錠する時刻が、前記開錠可能時間帯データに示される時間帯に含まれる場合にのみ開錠すると判定することを特徴とする請求項１から７のいずれかに記載の宅配便システム。
【請求項９】
更に、前記宅配箱を開錠した回数を計数し、保持する回数保持手段を備え、
前記開錠条件データは、前記宅配箱を開錠可能な回数を示す開錠可能回数データを含み、
前記開錠判定手段は、更に、前記回数保持手段に保持されている回数が前記開錠可能回数データに示される回数以下である場合にのみ開錠すると判定することを特徴とする請求項１から８のいずれかに記載の宅配便システム。
【請求項１０】
更に、開錠に関する履歴を示す開錠履歴データを前記非接触ＩＣカードに書き込む履歴データ書込手段を備えることを特徴とする請求項１から９のいずれかに記載の宅配便システム。
【請求項１１】
非接触ＩＣカードを有する宅配箱であって、
前記非接触ＩＣカードには前記宅配箱の鍵を開錠するための条件を示す開錠条件データが記録され、
前記開錠条件データを取得する開錠条件データ取得手段と、
入場ゲートを通過する人のユーザＩＤを入場者ＩＤとして取得する入場者ＩＤ取得手段と、
前記開錠条件データ取得手段により取得された前記開錠条件データと、前記入場者ＩＤ取得手段により取得された前記入場者ＩＤと、に応じて前記宅配箱の鍵を開錠するか否かを判定する開錠判定手段と、
を備えることを特徴とする宅配箱。
【請求項１２】
非接触ＩＣカードを有する宅配箱であって、
前記非接触ＩＣカードには前記宅配箱の鍵を開錠するための条件を示す開錠条件データが記録され、
前記開錠条件データを取得する開錠条件データ取得手段と、
入場ゲートを通過する人のユーザＩＤを入場者ＩＤとして取得する入場者ＩＤ取得手段と、
所定の位置に設置された非接触リーダライタと前記非接触ＩＣカードとが相互に通信可能な距離となった場合に、前記開錠条件データ取得手段により取得された前記開錠条件データと、前記入場者ＩＤ取得手段により取得された前記入場者ＩＤと、に応じて前記宅配箱の鍵を開錠するか否かを判定する開錠判定手段と、
を備えることを特徴とする宅配箱。
【請求項１３】
前記開錠条件データは、前記宅配箱の開錠に際して立ち会いが必須である人のユーザＩＤの一覧を示す立会必須一覧データを含み、
前記開錠判定手段は、前記立会必須一覧データに含まれるユーザＩＤのすべてが、前記入場者ＩＤ取得手段により取得された前記入場者ＩＤのいずれかと一致する場合に開錠すると判定することを特徴とする請求項１１または１２に記載の宅配箱。
【請求項１４】
前記開錠条件データは、前記宅配箱の開錠に際して立ち会いを禁止とする人のユーザＩＤの一覧を示す立会禁止一覧データを含み、
前記開錠判定手段は、前記立会禁止一覧データに含まれるユーザＩＤが、前記入場者ＩＤ取得手段により取得された前記入場者ＩＤと一つも一致しない場合に開錠すると判定することを特徴とする請求項１１または１２に記載の宅配箱。
【請求項１５】
前記開錠条件データは、前記宅配箱の開錠に際して立ち会いが必須である人のユーザＩＤの一覧を示す立会必須一覧データ、及び前記宅配箱の開錠に際して立ち会いを禁止とする人のユーザＩＤの一覧を示す立会禁止一覧データを含み、
前記開錠判定手段は、前記立会必須一覧データに含まれるユーザＩＤのすべてが、前記入場者ＩＤ取得手段により取得された前記入場者ＩＤのいずれかと一致し、かつ前記立会禁止一覧データに含まれるユーザＩＤが、前記入場者ＩＤと一つも一致しない場合に、開錠すると判定することを特徴とする請求項１１または１２に記載の宅配箱。
【請求項１６】
前記開錠条件データは、ユーザＩＤごとの重み付けを点数で示した重み付け点数データを含み、
前記開錠判定手段は、前記入場者ＩＤ取得手段により取得された前記入場者ＩＤ及び前記重み付け点数データに基づいてすべての入場者分の点数の合計を算出し、この合計が所定の閾値以上の場合にのみ開錠すると判定することを特徴とする請求項１１または１２に記載の宅配箱。
【請求項１７】
前記開錠条件データは、前記宅配箱を開錠可能な時間帯を示す開錠可能時間帯データを含み、
前記開錠判定手段は、更に、前記宅配箱を開錠する時刻が、前記開錠可能時間帯データに示される時間帯に含まれる場合にのみ開錠すると判定することを特徴とする請求項１１から１６のいずれかに記載の宅配箱。
【請求項１８】
更に、前記宅配箱を開錠した回数を計数し、保持する回数保持手段を備え、
前記開錠条件データは、前記宅配箱を開錠可能な回数を示す開錠可能回数データを含み、
前記開錠判定手段は、更に、前記回数保持手段に保持されている回数が前記開錠可能回数データに示される回数以下である場合にのみ開錠すると判定することを特徴とする請求項１１から１７のいずれかに記載の宅配箱。
【請求項１９】
更に、開錠に関する履歴を示す開錠履歴データを前記非接触ＩＣカードに書き込む履歴データ書込手段を備えることを特徴とする請求項１１から１８のいずれかに記載の宅配箱。
【発明の詳細な説明】
【技術分野】
【０００１】
本発明は、特定の条件を満たす場合にのみ宅配箱の鍵を開錠可能な宅配便システム、及び宅配箱に関する。
【背景技術】
【０００２】
現状の宅配便等の配送サービスにおいては、受取人は配送された物品を受け取ったら、その物品に付された配送用伝票に認印を押す又は手書きでサインすることにより、受け取りを証明することが一般に行われている。
また、電子的に受け取りを確認するためのシステムとして、秘密鍵、公開鍵を用いた公開鍵暗号方式を利用したり、あるいは、携帯電話を用いて受取人の本人確認情報を光学的に読取可能なコードで表示し、表示されたコードを配送人の使用する端末で読み取ったりすることにより、受取人の確認を行い、信頼性の高い受取証明を行うものである（特許文献１、特許文献２参照）。
【０００３】
【特許文献１】特開２００３−１２８２５４号公報
【特許文献２】特開２００６−０９２５０７号公報
【発明の開示】
【発明が解決しようとする課題】
【０００４】
しかしながら、上記の方法では、個人情報や機密情報の運搬等、より機密性の高い宅配便システムでは受取人を限定する必要があるが、受取人を限定するだけでは、実際に受取人が宅配箱を開錠するとは限らず、セキュリティが不十分である。更に、個人情報等は宅配箱を開錠する場所も、例えば、企業のビル内のＩＤカードで入退室が管理されているようなセキュリティルームで開錠されることが重要となる。予め携帯電話番号を登録した受取人が、サーバに携帯電話で電話をかけることにより鍵が開錠されるという宅配箱も実用化されているが、ＩＤカードで入退室が管理されている場所では、携帯電話の通話が確実に確保されているとは限らず、また、携帯電話の持込を禁止している場合もある。
【０００５】
また、宅配箱の差出人としては、開錠する人や時間帯、その他の条件をより詳細に指定することによりセキュリティを向上したいという要望もある。
【０００６】
本発明はこのような問題に鑑みてなされたもので、その目的とするところは、特定の条件を満たす場合にのみ宅配箱を開錠可能な宅配便システム、及び宅配箱を提供することにある。
【課題を解決するための手段】
【０００７】
前述した目的を達成するために第１の発明は、非接触ＩＣカードを有する宅配箱と、入場ゲートを通過する人のユーザＩＤをＩＤカードから読み取る第１の非接触リーダライタと、を備えた宅配便システムであって、前記非接触ＩＣカードには前記宅配箱の鍵を開錠するための条件を示す開錠条件データが記録され、前記開錠条件データを取得する開錠条件データ取得手段と、前記第１の非接触リーダライタにより読み取られたユーザＩＤを入場者ＩＤとして取得する入場者ＩＤ取得手段と、前記開錠条件データ取得手段により取得された前記開錠条件データと、前記入場者ＩＤ取得手段により取得された前記入場者ＩＤと、に応じて前記宅配箱の鍵を開錠するか否かを判定する開錠判定手段と、を備えることを特徴とする宅配便システムである。
【０００８】
第１の発明の宅配便システムによれば、宅配箱は非接触ＩＣカードを有し、この非接触ＩＣカードには宅配箱の鍵を開錠するための条件を示す開錠条件データが記録されている。また、第１の非接触リーダライタによって入場ゲートを通過する人のユーザＩＤをＩＤカードから読み取る。開錠条件データ取得手段によって上記開錠条件データを取得するとともに、入場者ＩＤ取得手段によって第１の非接触リーダライタにより読み取られたユーザＩＤを入場者ＩＤとして取得し、開錠判定手段によって上記開錠条件データと上記入場者ＩＤとに応じて宅配箱の鍵を開錠するか否かを判定することが可能となる。
【０００９】
また、第２の発明は、非接触ＩＣカードを有する宅配箱と、入場ゲートを通過する人のユーザＩＤをＩＤカードから読み取る第１の非接触リーダライタと、第２の非接触リーダライタを有し、前記宅配箱が載置される載置台と、を備えた宅配便システムであって、前記非接触ＩＣカードには前記宅配箱の鍵を開錠するための条件を示す開錠条件データが記録され、前記開錠条件データを取得する開錠条件データ取得手段と、前記第１の非接触リーダライタにより読み取られたユーザＩＤを入場者ＩＤとして取得する入場者ＩＤ取得手段と、前記非接触ＩＣカードと前記第２の非接触リーダライタとが相互に通信可能な距離となった場合に、前記開錠条件データ取得手段により取得された前記開錠条件データと、前記入場者ＩＤ取得手段により取得された前記入場者ＩＤと、に応じて前記宅配箱の鍵を開錠するか否かを判定する開錠判定手段と、を備えることを特徴とする宅配便システムである。
【００１０】
第２の発明の宅配便システムによれば、宅配箱は非接触ＩＣカードを有し、載置台は第２の非接触リーダライタを有し、第１の非接触リーダライタによって入場ゲートを通過する人のユーザＩＤをＩＤカードから読み取る。また、非接触ＩＣカードには宅配箱の鍵を開錠するための条件を示す開錠条件データが記録されている。そして、開錠条件データ取得手段によって開錠条件データを取得するとともに、入場者ＩＤ取得手段によって第２の非接触リーダライタにより読み取られたユーザＩＤを入場者ＩＤとして取得し、開錠判定手段によって、非接触ＩＣカードと第２の非接触リーダライタとが相互に通信可能な距離となった場合に、上記開錠条件データと、上記入場者ＩＤと、に応じて宅配箱の鍵を開錠するか否かを判定することが可能となる。
【００１１】
また、第１及び第２の発明の宅配便システムにおいて、前記宅配箱は、前記開錠判定手段を有することが望ましい。
【００１２】
また、第１及び第２の発明の宅配便システムにおいて、前記開錠条件データは、前記宅配箱の開錠に際して立ち会いが必須である人のユーザＩＤの一覧を示す立会必須一覧データを含み、前記開錠判定手段は、前記立会必須一覧データに含まれるユーザＩＤのすべてが、前記入場者ＩＤ取得手段により取得された入場者ＩＤのいずれかと一致する場合に開錠すると判定することが望ましい。
【００１３】
また、第１及び第２の発明の宅配便システムにおいて、前記開錠条件データは、前記宅配箱の開錠に際して立ち会いを禁止とする人のユーザＩＤの一覧を示す立会禁止一覧データを含み、前記開錠判定手段は、前記立会禁止一覧データに含まれるユーザＩＤが、前記入場者ＩＤ取得手段により取得された入場者ＩＤと一つも一致しない場合に開錠すると判定することが望ましい。
【００１４】
また、第１及び第２の発明の宅配便システムにおいて、前記開錠条件データは、前記宅配箱の開錠に際して立ち会いが必須である人のユーザＩＤの一覧を示す立会必須一覧データ、及び前記宅配箱の開錠に際して立ち会いを禁止とする人のユーザＩＤの一覧を示す立会禁止一覧データを含み、前記開錠判定手段は、前記立会必須一覧データに含まれるユーザＩＤのすべてが、前記入場者ＩＤ取得手段により取得された前記入場者ＩＤのいずれかと一致し、かつ前記立会禁止一覧データに含まれるユーザＩＤが、前記入場者ＩＤと一つも一致しない場合に、開錠すると判定することが望ましい。
【００１５】
また、第１及び第２の発明の宅配便システムにおいて、前記開錠条件データは、ユーザＩＤごとの重み付けを点数で示した重み付け点数データを含み、前記開錠判定手段は、前記入場者ＩＤ取得手段により取得された前記入場者ＩＤ及び前記重み付け点数データに基づいてすべての入場者分の点数の合計を算出し、この合計が所定の閾値以上の場合にのみ開錠すると判定することが望ましい。
【００１６】
また、第１及び第２の発明の宅配便システムにおいて、前記開錠条件データは、前記宅配箱を開錠可能な時間帯を示す開錠可能時間帯データを含み、前記開錠判定手段は、更に、前記宅配箱を開錠する時刻が、前記開錠可能時間帯データに示される時間帯に含まれる場合にのみ開錠すると判定することが望ましい。
【００１７】
また、第１及び第２の発明の宅配便システムにおいて、更に、前記宅配箱を開錠した回数を計数し、保持する回数保持手段を備え、前記開錠条件データは、前記宅配箱を開錠可能な回数を示す開錠可能回数データを含み、前記開錠判定手段は、更に、前記回数保持手段に保持されている回数が前記開錠可能回数データに示される回数以下である場合にのみ開錠すると判定することが望ましい。
【００１８】
また、第１及び第２の発明の宅配便システムにおいて、更に、開錠に関する履歴を示す開錠履歴データを前記非接触ＩＣカードに書き込む履歴データ書込手段を備えることが望ましい。
【００１９】
また、前述した目的を達成するために第３の発明は、非接触ＩＣカードを有する宅配箱であって、前記非接触ＩＣカードには前記宅配箱の鍵を開錠するための条件を示す開錠条件データが記録され、前記開錠条件データを取得する開錠条件データ取得手段と、入場ゲートを通過する人のユーザＩＤを入場者ＩＤとして取得する入場者ＩＤ取得手段と、前記開錠条件データ取得手段により取得された前記開錠条件データと、前記入場者ＩＤ取得手段により取得された前記入場者ＩＤと、に応じて前記宅配箱の鍵を開錠するか否かを判定する開錠判定手段と、を備えることを特徴とする宅配箱である。
【００２０】
第３の発明の宅配箱によれば、宅配箱の有する非接触ＩＣカードには、宅配箱の鍵を開錠するための条件を示す開錠条件データが記録されており、開錠条件データ取得手段によって開錠条件データを取得するとともに、入場者ＩＤ取得手段によって入場ゲートを通過する人のユーザＩＤを入場者ＩＤとして取得し、開錠判定手段によって、開錠条件データと入場者ＩＤとに応じて宅配箱の鍵を開錠するか否かを判定することが可能となる。
【００２１】
また、第４の発明は、非接触ＩＣカードを有する宅配箱であって、前記非接触ＩＣカードには前記宅配箱の鍵を開錠するための条件を示す開錠条件データが記録され、前記開錠条件データを取得する開錠条件データ取得手段と、入場ゲートを通過する人のユーザＩＤを入場者ＩＤとして取得する入場者ＩＤ取得手段と、所定の位置に設置された非接触リーダライタと前記非接触ＩＣカードとが相互に通信可能な距離となった場合に、前記開錠条件データ取得手段により取得された前記開錠条件データと、前記入場者ＩＤ取得手段により取得された前記入場者ＩＤと、に応じて前記宅配箱の鍵を開錠するか否かを判定する開錠判定手段と、を備えることを特徴とする宅配箱である。
【００２２】
第４の発明の宅配箱によれば、宅配箱の有する非接触ＩＣカードには宅配箱の鍵を開錠するための条件を示す開錠条件データが記録され、開錠条件データ取得手段によって、開錠条件データを取得しするとともに、入場者ＩＤ取得手段によって、入場ゲートを通過する人のユーザＩＤを入場者ＩＤとして取得し、開錠判定手段によって、所定の位置に設置された非接触リーダライタと非接触ＩＣカードとが相互に通信可能な距離となった場合に、開錠条件データと入場者ＩＤとに応じて前記宅配箱の鍵を開錠するか否かを判定することが可能となる。
【００２３】
また、第３及び第４の発明の宅配箱において、前記開錠条件データは、前記宅配箱の開錠に際して立ち会いが必須である人のユーザＩＤの一覧を示す立会必須一覧データを含み、前記開錠判定手段は、前記立会必須一覧データに含まれるユーザＩＤのすべてが、前記入場者ＩＤ取得手段により取得された入場者ＩＤのいずれかと一致する場合に開錠すると判定することが望ましい。
【００２４】
また、第３及び第４の発明の宅配箱において、前記開錠条件データは、前記宅配箱の開錠に際して立ち会いを禁止とする人のユーザＩＤの一覧を示す立会禁止一覧データを含み、前記開錠判定手段は、前記立会禁止一覧データに含まれるユーザＩＤが、前記入場者ＩＤ取得手段により取得された前記入場者ＩＤと一つも一致しない場合に開錠すると判定することが望ましい。
【００２５】
また、第３及び第４の発明の宅配箱において、前記開錠条件データは、前記宅配箱の開錠に際して立ち会いが必須である人のユーザＩＤの一覧を示す立会必須一覧データ、及び前記宅配箱の開錠に際して立ち会いを禁止とする人のユーザＩＤの一覧を示す立会禁止一覧データを含み、前記開錠判定手段は、前記立会必須一覧データに含まれるユーザＩＤのすべてが、前記入場者ＩＤ取得手段により取得された前記入場者ＩＤのいずれかと一致し、かつ前記立会禁止一覧データに含まれるユーザＩＤが、前記入場者ＩＤと一つも一致しない場合に、開錠すると判定することが望ましい。
【００２６】
また、第３及び第４の発明の宅配箱において、前記開錠条件データは、ユーザＩＤごとの重み付けを点数で示した重み付け点数データを含み、前記開錠判定手段は、前記入場者ＩＤ取得手段により取得された前記入場者ＩＤ及び前記重み付け点数データに基づいてすべての入場者分の点数の合計を算出し、この合計が所定の閾値以上の場合にのみ開錠すると判定することが望ましい。
【００２７】
また、第３及び第４の発明の宅配箱において、前記開錠条件データは、前記宅配箱を開錠可能な時間帯を示す開錠可能時間帯データを含み、前記開錠判定手段は、更に、前記宅配箱を開錠する時刻が、前記開錠可能時間帯データに示される時間帯に含まれる場合にのみ開錠すると判定することが望ましい。
【００２８】
また、第３及び第４の発明の宅配箱において、更に、前記宅配箱を開錠した回数を計数し、保持する回数保持手段を備え、前記開錠条件データは、前記宅配箱を開錠可能な回数を示す開錠可能回数データを含み、前記開錠判定手段は、更に、前記回数保持手段に保持されている回数が前記開錠可能回数データに示される回数以下である場合にのみ開錠すると判定することが望ましい。
【００２９】
また、第３及び第４の発明の宅配箱において、更に、開錠に関する履歴を示す開錠履歴データを前記非接触ＩＣカードに書き込む履歴データ書込手段を備えることが望ましい。
【発明の効果】
【００３０】
本発明によれば、特定の条件を満たした場合にのみ宅配箱を開錠可能な宅配便システム、及び宅配箱を提供することができる。
【発明を実施するための最良の形態】
【００３１】
以下図面に基づいて、本発明の実施形態を詳細に説明する。
【００３２】
まず、構成を説明する。
図１は本発明に係る宅配便システム全体の概要を示す図である。
図１に示すように、宅配便システム１は、非接触ＩＣカード１３を底部に有する宅配箱９と、セキュリティルーム３内に設置され、非接触リーダライタ１５を有する載置台５と、セキュリティルーム３への入場ゲート７の近傍に設置された非接触リーダライタ１７と、により構成され、非接触リーダライタ１５と非接触リーダライタ１７とは、通信Ｉ／Ｆ１８によって接続され相互に通信可能である。
【００３３】
宅配箱９は、個人情報、或いはその他の機密性の高い運搬物を封入して運搬するための容器である。差出人は宅配箱９の底部に非接触ＩＣカード１３を置き、その上に運搬物を入れ、宅配箱９の鍵を閉めた状態で配送する。受取側による宅配箱９の開錠は、セキュリティルーム３等のセキュリティの確保された場所で行う必要がある。
【００３４】
非接触ＩＣカード１３には、宅配箱９の開錠条件を示す開錠条件データが差出人により予め設定、記録されている。また、非接触ＩＣカード１３は、宅配箱９の開錠の履歴を示す開錠履歴データを記憶する。
【００３５】
載置台５は、宅配箱９が載置される台であり、セキュリティルーム３内の所定位置に設置される。載置台５は、非接触リーダライタ１５を備えている。
【００３６】
非接触リーダライタ１５は、宅配箱９が底部に備える非接触ＩＣカード１３の内容の読み取り及び書き込みを行うものであり、載置台５の上面に宅配箱９が置かれた際に、非接触ＩＣカード１３の内容を読み取り及び書き込み可能な位置に配置されている。
【００３７】
具体的には、例えば、図１に示すように、載置台５は、天板５１を備え、この天板５１の下面において、宅配箱９が天板５１に置かれた状態で天板５１を介して非接触ＩＣカード１３と重なるような位置に非接触リーダライタ１５が設けられていることが挙げられる。
【００３８】
なお、セキュリティルーム３における載置台５の位置は、セキュリティルーム３内に監視カメラが備えられている場合は、この監視カメラが載置台５に載置される宅配箱９の開錠の様子を撮影可能な位置とすることが望ましい。
【００３９】
非接触リーダライタ１７は、セキュリティルーム３への入場ゲート７の近傍に備えられ、入場ゲート７を通過するユーザの携行するＩＤカード１９の内容の読み取り及び書き込みを行うものである。セキュリティルーム３へ入場する人は、各々のユーザＩＤが記録されているＩＤカード１９を非接触リーダライタ１７へかざしてユーザＩＤを読み取らせてから入場する。
【００４０】
ＩＤカード１９は、例えば社員証等のユーザ各々のユーザＩＤが記録された非接触ＩＣカードである。ユーザは、セキュリティルーム３に入室する際に、非接触リーダライタ１７にＩＤカード１９をかざしてユーザＩＤを読み取らせ、入場ゲート７を通過する。
【００４１】
図２は、宅配箱９の構成を示すブロック図である。
図２に示すように、宅配箱９は、非接触ＩＣカード１３を有し、開錠条件判定部２１、ロック解除装置２５、バッテリ２３、非接触リーダライタ１１、及びカウンタ２７を内蔵する。これらはバスによって接続されている。
【００４２】
開錠条件判定部２１はコンピュータで、バッテリ２３からの電力により駆動され、宅配箱９の鍵を開錠するか否かを判定する。
【００４３】
非接触リーダライタ１１は、図１に示すように、宅配箱９の外部側面に設けられ、バッテリ２３からの電力により駆動される。この非接触リーダライタ１１に非接触ＩＣカードをかざすと、この非接触ＩＣカードに書き込まれているデータが非接触リーダライタ１１により読み取られ、開錠条件判定部２１の記憶部６４に記憶される。
【００４４】
ロック解除装置２５は、バッテリ２３からの電力により駆動され、開錠条件判定部２１から入力されるロック解除指示により、宅配箱９の鍵を開錠する。これにより、宅配箱９を開けることが可能な状態となる。
【００４５】
カウンタ２７は、宅配箱９の鍵が開錠された回数を計数し、保持する。
【００４６】
非接触ＩＣカード１３は、非接触Ｉ／Ｆと接触Ｉ／Ｆとを持つデュアルタイプのものであり、非接触Ｉ／Ｆを介して載置台５の非接触リーダライタ１５にアクセスし、接触Ｉ／Ｆを介して開錠条件判定部２１にアクセスする。
【００４７】
図３は、非接触ＩＣカード１３の構成を示すブロック図である。
図３に示すように、非接触ＩＣカード１３は、ＣＰＵ（Ｃｅｎｔｒａｌ  Ｐｒｏｃｅｓｓｉｎｇ  Ｕｎｉｔ)４１、ＲＯＭ（Ｒｅａｄ  Ｏｎｌｙ  Ｍｅｍｏｒｙ）４２、ＲＡＭ（Ｒａｎｄｏｍ  Ａｃｃｅｓｓ  Ｍｅｍｏｒｙ）４３、メモリ４４、及び通信部４５を備え、これらはバス４７によって接続されている。
【００４８】
ＣＰＵ４１は、ＲＯＭ４２またはメモリ４４から所定のプログラムを読み出してＲＡＭ４３に一時格納し、このプログラムに基づく各種処理を実行する。すなわち、ＣＰＵ４１は、所定のプログラムに基づいて通信部４５を制御し、外部の非接触リーダライタから入力されるデータをメモリ４４に記憶するとともに、その非接触リーダライタから入力される読み取り指示に従って、メモリ４４からデータを読み出し、非接触リーダライタへ出力する。
【００４９】
ＲＯＭ４２は、非接触ＩＣカード１３の基本プログラム、及び各種データを格納する。この基本プログラムとしては、非接触リーダライタと通信可能な状態となった場合に実行される、データの読み取り処理プログラムや書き込み処理プログラム等の書き換え不要な基本プログラムが含まれる。
ＲＡＭ４３は、プログラム実行中、一時的にデータ等を格納する作業領域を有する。
【００５０】
通信部４５は、アンテナ４６等を有し、ＣＰＵ４１から入力される指示に従って、載置台５の非接触リーダライタ１５との通信を制御する。
すなわち、載置台５が備える非接触リーダライタ１５の近傍に非接触ＩＣカード１３が位置するように宅配箱９が載置台５に置かれると、非接触リーダライタ１５と非接触ＩＣカード１３とが互いに通信可能な状態となり無線通信を行う。
【００５１】
メモリ４４は、非接触ＩＣカード１３の動作に必要となるデータ等を記憶しており、また宅配箱９の鍵を開錠するための条件を示す開錠条件データ４４１を予め記憶している。このメモリ４４への開錠条件データ４４１の設定及び記憶は、宅配箱９の差出人が、予め差出人側のコンピュータ等を用いて行う。
【００５２】
また、メモリ４４は、宅配箱９の開錠に関する履歴を示すデータである開錠履歴データ４４２を記憶する。宅配箱９の開錠条件判定部２１は、宅配箱９を開錠した際に、開錠履歴データ４４２をメモリ４４に記憶させる。
【００５３】
図４は、メモリ４４に記憶される開錠条件データ４４１の例を示す図である。
図４に示すように、開錠条件データ４４１は、宅配箱９の鍵を開錠するための条件を示すデータであり、立会必須一覧データ４４１ａ、立会禁止一覧データ４４１ｂ、重み付け点数データ４４１ｃ、開錠可能時間帯データ４４１ｄ、開錠可能回数データ４４１ｅ等を含む。
【００５４】
立会必須一覧データ４４１ａは、宅配箱９の差出人により予め設定された必須立会人のユーザＩＤの一覧である（図１０参照）。ここで、必須立会人とは、宅配箱９を開錠するに際して立ち会うことを必須とする人を意味する。例えば、一人で宅配箱９を開錠することを禁止したい場合は、複数名のユーザＩＤを必須立会人とし、立会必須一覧データ４４１ａに設定しておけばよい。また、企業などの組織において、役職者等を必須立会人としたい場合には、この役職者のユーザＩＤを立会必須一覧データ４４１ａに設定しておけばよい。
【００５５】
立会禁止一覧データ４４１ｂは、宅配箱９の差出人により予め設定された立会禁止人のユーザＩＤの一覧である（図１１参照）。ここで、立会禁止人とは、宅配箱９を開錠するに際して立ち会うことを禁止とする人を意味する。例えば、アルバイト従業員の立ち会いを禁止する場合は、このアルバイト従業員のユーザＩＤを立会禁止人とし、立会禁止一覧データ４４１ｂに設定しておけばよい。
【００５６】
重み付け点数データ４４１ｃは、ユーザＩＤごとの重み付けを点数で表したデータである（図１４参照）。例えば、部長なら１０点、一般社員なら２点というように、各ユーザＩＤに対して重み付けの点数を付与すればよい。
【００５７】
開錠可能時間帯データ４４１ｄは、宅配箱９の開錠を可能とする時間帯を示すデータである。
開錠可能回数データ４４１ｅは、宅配箱９の開錠を可能とする回数の上限を示すデータである。
【００５８】
図５は、非接触ＩＣカード１３のメモリ４４に記憶される開錠履歴データ４４２の例を示す図である。
図５に示すように、開錠履歴データ４４２には、宅配箱９を開錠した日時、開錠に立ち会った人（入場者ＩＤ）等のデータが含まれる。具体的には、例えば開錠した日時として、「２００６／１０／１  １３：０４」のように、日付と時刻が記憶される。また、開錠に立ち会った人として、宅配箱９の開錠の際に開錠条件判定部２１が取得している入場者ＩＤが「Ａ００１」、「Ｂ００２」、「Ｃ００１」、「Ｄ００１」のように記憶される。
【００５９】
次に、図２に示す開錠条件判定部２１の構成を説明する。
図６は、開錠条件判定部２１の構成を示すブロック図である。
図６に示すように、開錠条件判定部２１は、制御部６１、表示部６２、入力部６３、記憶部６４、通信部６５、及び計時部６６を備え、これらはバス６７により接続されている。
【００６０】
制御部６１は、記憶部６４から所定のプログラムを読み出して記憶部６４のＲＡＭに一時格納し、このプログラムに基づく各種処理を実行することにより、開錠条件判定部２１の全体を制御する。
【００６１】
すなわち、制御部６１は、開錠条件データ取得処理を実行し、通信部６５の接触Ｉ／Ｆを介して非接触ＩＣカード１３に記憶されている開錠条件データ４４１を読み出し、記憶部６４に記憶する。
【００６２】
また、制御部６１は、入場者ＩＤ取得処理を実行し、入場ゲート７の非接触リーダライタ１７により読み取られたユーザＩＤを入場者ＩＤ８７１（後述）として取得する。つまり、宅配箱９が載置台５に載置されると、宅配箱９の非接触ＩＣカード１３と載置台５の非接触リーダライタ１５とが通信可能な状態となる。このとき、非接触リーダライタ１５は入場ゲート７の非接触リーダライタ１７へ通信Ｉ／Ｆ１８を介して入場者ＩＤ８７１の取得指示を送信する。非接触リーダライタ１５が非接触リーダライタ１７から入場者ＩＤ８７１を受信し、受信した入場者ＩＤ８７１を宅配箱９の非接触ＩＣカード１３に書き込むと、開錠条件判定部２１の制御部６１は、非接触ＩＣカード１３に書き込まれた入場者ＩＤ８７１を読み出し、記憶部６４に記憶する。
【００６３】
なお、入場者ＩＤ８７１は非接触リーダライタ１７から定期的に送信されるものとしてもよい。この場合は、非接触リーダライタ１５は、入場者ＩＤを受信する都度、その記憶部８７に更新記憶する。
【００６４】
そして、制御部６１は、開錠条件の判定処理を実行し、記憶部６４に記憶された開錠条件データ４４１と入場者ＩＤ８７１とに応じて、宅配箱９の鍵を開錠するか否かを判定する。開錠すると判定した場合は、ロック解除装置２５（図２）にロック解除指示を出力し、宅配箱９の鍵を開錠させる。更に、制御部６１は、開錠履歴データ４４２を非接触ＩＣカード１３に書き込む。
【００６５】
表示部６２は、表示パネル等を有し、制御部６１から入力される指示に従って表示パネル等への表示制御を行う。
入力部６３は、数字や文字、操作指示を入力するための入力キーを有し、入力キーの操作に応じた信号を制御部６１に出力する。
【００６６】
記憶部６４は、開錠条件判定部２１の全体の動作を制御するための基本プログラムや各種データ等を格納するためのＲＯＭ、一時的な作業用データを格納するためのＲＡＭ等から構成される。
更に、記憶部６４には、開錠条件判定部２１が実行する、開錠条件取得処理、入場者ＩＤ取得処理、及び開錠条件の判定処理等に必要となるプログラムやデータ等が格納されている。
【００６７】
通信部６５は、非接触ＩＣカード１３との通信のための接触Ｉ／Ｆ、ロック解除装置２５との通信Ｉ／Ｆ等を有し、非接触ＩＣカード１３及びロック解除装置２５との通信を制御する。
【００６８】
次に、図１の入場ゲート７に備えられる非接触リーダライタ１７について説明する。
図７は、非接触リーダライタ１７の構成を示すブロック図である。
【００６９】
図７に示すように、非接触リーダライタ１７は、ＣＰＵ８１、入力部８２、表示部８３、ＲＯＭ８４、ＲＡＭ８５、リード／ライト部８６、記憶部８７、計時部８８、及び通信部８９を備え、これらはバス９０により接続されている。
【００７０】
ＣＰＵ８１は、ＲＯＭ８４または記憶部８７から所定のプログラムを読み出してＲＡＭ８５に一時格納し、このプログラムに基づく各種処理を実行することにより、非接触リーダライタ１７の全体の動作を制御する。すなわち、ＣＰＵ８１は、所定のプログラムに基づいて、近傍に非接触ＩＣカード（ＩＤカード１９）を検出すると、通信部８９、及びリード／ライト部８６を制御して、その非接触ＩＣカード（ＩＤカード１９）に記憶されているデータを読み出し、記憶部８７に記憶する。また、所定のプログラムに基づいて非接触ＩＣカード（ＩＤカード１９）へ所定のデータを書き込む。
【００７１】
更に、非接触リーダライタ１７のＣＰＵ８１は、リード／ライト部８６により読み取ったユーザＩＤを入場者ＩＤ８７１として記憶部８７に逐次記憶させる。また、ＣＰＵ８１は、この入場者ＩＤ８７１を通信部８９により通信Ｉ／Ｆ１８を介して載置台５の非接触リーダライタ１５に送信させる。
【００７２】
入場者ＩＤ８７１を送信するタイミングは、非接触リーダライタ１５側から入場者ＩＤの取得指示を受信したときとしてもよいし、所定時間の経過を監視し、所定時間経過毎に定期的に送信させるものとしてもよい。
【００７３】
また、ＣＰＵ８１はセキュリティルーム３から退室する人が再度非接触リーダライタ１７にＩＤカード１９をかざすと、このＩＤカード１９に記憶されているユーザＩＤと同一のユーザＩＤを記憶部８７に記憶されている入場者ＩＤ８７１から削除する。
【００７４】
入力部８２は、数字や文字、操作指示を入力するための入力キーを有し、入力キーの操作に応じた信号をＣＰＵ８１に出力する。
表示部８３は、表示パネル等を有し、ＣＰＵ８１から入力される指示に従って表示パネル等への表示制御を行う。
【００７５】
ＲＯＭ８４は、非接触リーダライタ１７の全体を制御するための基本プログラム、あるいはデータ等を格納する。また、ＩＤカード１９から読み取ったユーザＩＤを入場者ＩＤ８７１として記憶部８７に記憶し、通信部８９により非接触リーダライタ１５へ送信するための処理プログラムを格納する。
ＲＡＭ８５は、指定されたプログラム、入力指示、入力データ及び処理結果等を格納するメモリ領域を有する。
【００７６】
リード／ライト部８６は、ＣＰＵ８１から入力される指示に従って非接触ＩＣカード（ＩＤカード１９）からデータを読み取り、または非接触ＩＣカード（ＩＤカード１９）にデータを書き込む。
【００７７】
記憶部８７は、リード／ライト部８６により読み取られたデータを記憶する。入場ゲート７では、入場する人が非接触リーダライタ１７にＩＤカード１９をかざすと、ＣＰＵ８１は、リード／ライト部８６にＩＤカード１９に記録されているユーザＩＤを読み取らせ、入場者ＩＤ８７１として記憶部８７に記憶させる。
【００７８】
計時部８８は、現在時刻を計時する。
通信部８９は、通信Ｉ／Ｆ１８と接続され、この通信Ｉ／Ｆ１８を介して載置台５の非接触リーダライタ１５との通信を行う。通信Ｉ／Ｆ１８は有線及び無線による伝送媒体のいずれであってもよい。
【００７９】
次に、図１の載置台５に備えられる非接触リーダライタ１５について説明する。
載置台５に備えられる非接触リーダライタ１５は、非接触リーダライタ１７と同様の構成である。すなわち、図７に示すように、非接触リーダライタ１５は、ＣＰＵ８１、入力部８２、表示部８３、ＲＯＭ８４、ＲＡＭ８５、リード／ライト部８６、記憶部８７、計時部８８、及び通信部８９を備え、これらはバス９０により接続されている。
【００８０】
非接触リーダライタ１５のＣＰＵ８１は、載置台５に宅配箱９が載置され、非接触リーダライタ１５が宅配箱９の非接触ＩＣカード１３と互いに通信可能な距離となった場合には、通信Ｉ／Ｆ１８を介して入場ゲート７の非接触リーダライタ１７に対して、入場者ＩＤ８７１の取得指示を送信する。そして、非接触リーダライタ１７から入場者ＩＤ８７１を受信すると、この入場者ＩＤ８７１を記憶部８７に記憶する。更に、ＣＰＵ８１は、記憶部８７に記憶されている入場者ＩＤ８７１を読み出し、リード／ライト部８６を制御して、非接触ＩＣカード１３へ書き込ませる。
【００８１】
次に動作を説明する。
図８は本実施の形態における宅配便システム１において実行される処理全体の流れを説明するフローチャートである。
【００８２】
まず、宅配箱９に置かれる非接触ＩＣカード１３には、宅配箱９の差出人のコンピュータ等の装置により開錠条件データ４４１が設定され、保持されている（ステップＳ１１）。差出人は開錠条件データ４４１が書き込まれた非接触ＩＣカード１３を宅配箱９の底部に置き、その上から運搬物を載せて、宅配箱９の鍵を施錠したうえで、宅配箱９を配送する。
【００８３】
宅配箱９を受け取った受取人は、この宅配箱９を開錠するためにセキュリティルーム３へ入場する。セキュリティルーム３の入場ゲート７で、受取人が携行するＩＤカード１９を非接触リーダライタ１７にかざすと、非接触リーダライタ１７はＩＤカード１９からユーザＩＤを読み取り、入場者ＩＤ８７１として記憶部８７に記憶する（ステップＳ１２）。
【００８４】
更に、非接触リーダライタ１７に別のＩＤカード１９をかざす場合、つまり次の入場者がいる場合は（ステップＳ１３；はい）、ステップＳ１２に戻り、非接触リーダライタ１７はＩＤカード１９のユーザＩＤを読み取り、入場者ＩＤ８７１として記憶部８７に逐次記憶する。
【００８５】
次の入場者がいない場合は（ステップＳ１３；いいえ）、つまり宅配箱９の開錠に立ち会う人が全員入室した場合は、宅配箱９を持っている人は宅配箱９を載置台５に載置する。宅配箱９が載置台５に載置され、非接触ＩＣカード１３と非接触リーダライタ１５とが互いに通信可能な距離となると、開錠条件判定部２１は判定処理を開始する（ステップＳ１４）。判定処理の詳細については後述する。
【００８６】
開錠条件判定部２１は、判定処理を実行した結果、開錠条件を満たすと判定した場合は（ステップＳ１５；はい）、ロック解除装置２５にロック解除指示を出力し、開錠させる（ステップＳ１６）とともに、非接触ＩＣカード１３に開錠履歴データ４４２を書き込む（ステップＳ１７）。
【００８７】
開錠条件判定部２１が判定処理を実行した結果、開錠条件を満たさないと判定した場合は（ステップＳ１５；いいえ）、そのまま処理を終了する。
【００８８】
次に、図８のステップＳ１４における判定処理を詳しく説明する。
【００８９】
ステップＳ１４の判定処理を開始する際、開錠条件判定部２１は非接触ＩＣカード１３に書き込まれている開錠条件データ４４１を読み取り、記憶部６４に記憶する。そして、開錠条件判定部２１は、開錠条件データ４４１に設定されている内容に応じた判定処理（１）〜（４）を実行する。
【００９０】
判定処理（１）は、開錠条件データ４４１に立会必須一覧データ４４１ａ及び立会禁止一覧データ４４１ｂが含まれている場合に実行されるものである。
図９は、判定処理（１）の動作を説明するフローチャートであり、図１０は、非接触ＩＣカード１３に記憶されている立会必須一覧データ４４１ａの例、図１１は、非接触ＩＣカード１３に記憶されている立会禁止一覧データ４４１ｂの例を示す図である。
【００９１】
図９のフローチャートに示すように、開錠条件判定部２１は判定処理（１）を実行すると、まず、非接触リーダライタ１７から入場者ＩＤ８７１を取得する（ステップＳ２１）。
【００９２】
図１２は、入場者ＩＤ８７１の例を示す図である。
図１２に示すように、非接触リーダライタ１７の記憶部８７には、例えば、「Ａ００１」、「Ｂ００２」、「Ｃ００１」、「Ｄ００１」のように、一つまたは複数のユーザＩＤが入場者ＩＤ８７１として逐次記憶される。また、セキュリティルーム３から退室した人がいる場合は、そのユーザＩＤを入場者ＩＤ８７１の表から削除する。
【００９３】
載置台５に宅配箱９が載置されると、非接触リーダライタ１５のＣＰＵ８１は入場ゲート７の非接触リーダライタ１７に対して入場者ＩＤ８７１の取得指示を送信する。非接触リーダライタ１７のＣＰＵ８１は入場者ＩＤ８７１の取得指示を受信すると、記憶部８７に記憶されている入場者ＩＤ８７１を読み出し、通信Ｉ／Ｆ１８を介して載置台５の非接触リーダライタ１５へ送信する。非接触リーダライタ１５は、受信した入場者ＩＤ８７１を宅配箱９の非接触ＩＣカード１３へ書き込む。そして、開錠条件判定部２１は、非接触ＩＣカード１３に書き込まれた入場者ＩＤ８７１を接触Ｉ／Ｆを介して取得する。
【００９４】
次に、開錠条件判定部２１は、取得した入場者ＩＤ８７１と、開錠条件データ４４１の立会必須一覧データ４４１ａ及び立会禁止一覧データ４４１ｂとを参照して、入場者ＩＤ８７１に必須立会人が全員いるかを判定し（ステップＳ２２）、次に、入場者ＩＤ８７１に立会禁止人が少なくとも一人いるかを判定する（ステップＳ２３）。
【００９５】
図１０に示す例では、立会必須一覧データ４４１ａに必須立会人として、「Ａ００１」及び「Ｂ００２」が設定されている。この場合、開錠条件判定部２１は、取得した入場者ＩＤ８７１に「Ａ００１」及び「Ｂ００２」が存在するか否かを判定する。入場者「Ａ００１」、「Ｂ００２」のうちいずれかが存在しない場合は、必須立会人が全員揃っていないと判定し（ステップＳ２２；いいえ）、そのまま判定処理（１）を終了する。
【００９６】
図１２に示す例では、入場者ＩＤ８７１には「Ａ００１」及び「Ｂ００２」が、すべて存在するので、必須立会人が全員いると判定する（ステップＳ２２；はい）。そして次に、立会禁止人の条件を判定する。図１１に示すように、立会禁止一覧データ４４１ｂに立会禁止人として「Ｃ００１」が設定されている場合、開錠条件判定部２１は、取得した入場者ＩＤ８７１に「Ｃ００１」が存在するか否かを判定する。
図１２に示す例では、入場者ＩＤ８７１に「Ｃ００１」が存在し、立会禁止人がいるので（ステップＳ２３；はい）、そのまま判定処理（１）を終了する。
【００９７】
入場者ＩＤ８７１に、「Ｃ００１」が存在しない場合は、立会禁止人がひとりも存在しないと判定する（ステップＳ２３；いいえ）。その後、開錠条件判定部２１は、ロック解除装置２５にロック解除指示を出力して（ステップＳ２４）、判定処理（１）を終了する。
【００９８】
次に、判定処理（２）について図１３及び図１４を参照して説明する。
判定処理（２）は、開錠条件データ４４１に重み付け点数データ４４１ｃが含まれている場合に実行されるものである。
図１３は、判定処理（２）の動作を説明するフローチャートであり、図１４は、非接触ＩＣカード１３に記憶されている重み付け点数データ４４１ｃの例を示す図である。
【００９９】
図１３のフローチャートに示すように、開錠条件判定部２１は判定処理（２）を実行すると、まず、非接触リーダライタ１７から入場者ＩＤ８７１を取得する（ステップＳ３１）。この入場者ＩＤ８７１の取得の処理は図９に示す判定処理（１）のステップＳ２１と同様である。
【０１００】
そして、開錠条件データ４４１に設定されているユーザＩＤ毎の重み付け点数データ４４１ｃを参照し、入場者ＩＤ８７１と重み付け点数データ４４１ｃとから、すべての入場者分の点数の合計を算出する（ステップＳ３２）。
【０１０１】
図１４に示す例では、重み付け点数データ４４１ｃとして、ユーザＩＤ「Ａ００１」は「５」点、ユーザＩＤ「Ｂ００１」は「３」点、ユーザＩＤ「Ｂ００２」は「３」点、ユーザＩＤ「Ｃ００１」は「１」点、ユーザＩＤ「Ｄ００１」は「１」点と設定されている。開錠条件判定部２１は、入場者ＩＤ８７１に存在するすべてのユーザＩＤの点数の合計を算出する。
図１２に示す例のように、入場者ＩＤ８７１に「Ａ００１」、「Ｂ００２」、「Ｃ００１」及び「Ｄ００１」がある場合は、それぞれの重み付け点数は「５」点、「３」点、「１」点、「１」点であるため、入場者全員の点数の合計は「１０」点と算出される。
【０１０２】
開錠条件判定部２１は、算出した合計が所定の閾値であるか否かを判定する（ステップＳ３３）。閾値は、この判定処理（２）のプログラムに設定されているものとしてもよいし、宅配箱９の開錠条件判定部２１の記憶部６４に予め設定されているものとしてもよいし、開錠条件データ４４１として非接触ＩＣカード１３に書き込まれており、開錠条件判定部２１により読み出されるものとしてもよい。
【０１０３】
開錠条件判定部２１は、上記合計が閾値以上であると判定した場合（ステップＳ３３；はい）は、ロック解除装置２５にロック解除指示を出力して（ステップＳ３４）、判定処理（２）を終了する。合計が閾値未満の場合（ステップＳ３３；いいえ）は、そのまま判定処理（２）を終了する。
【０１０４】
次に、判定処理（３）について図１５を参照して説明する。
判定処理（３）は、開錠条件データ４４１に開錠可能時間帯データ４４１ｄが含まれている場合に実行されるものである。
図１５は、判定処理（３）の動作を説明するフローチャートである。
【０１０５】
まず、開錠条件判定部２１の制御部６１は、計時部６６から現在時刻を取得する（ステップＳ４１）。そして、開錠条件データ４４１に設定されている開錠可能時間帯データ４４１ｄを参照し、現在時刻が開錠可能な時間帯であるか否かを判定する（ステップＳ４２）。
開錠条件判定部２１は、現在時刻が開錠可能な時間帯であると判定した場合（ステップＳ４２；はい）は、ロック解除装置２５にロック解除指示を出力して（ステップＳ４３）、判定処理（３）を終了する。現在時刻が開錠可能な時間帯にない場合（ステップＳ４２；いいえ）は、そのまま判定処理（３）を終了する。
【０１０６】
次に、判定処理（４）について図１６を参照して説明する。
判定処理（４）は、開錠条件データ４４１に開錠可能回数データ４４１ｅが含まれている場合に実行されるものである。
図１６は、判定処理（４）の動作を説明するフローチャートである。
【０１０７】
まず、開錠条件判定部２１は宅配箱９のカウンタ２７に保持されている開錠回数を取得する（ステップＳ５１）。そして、開錠条件データ４４１に設定されている開錠可能回数データ４４１ｅを参照し、取得した開錠回数が開錠可能な回数以下であるか否かを判定する（ステップＳ５２）。
【０１０８】
開錠条件判定部２１は、開錠回数が開錠可能な回数以下であると判定した場合（ステップＳ５２；はい）は、ロック解除装置２５にロック解除指示を出力して（ステップＳ５３）、判定処理（４）を終了する。現在時刻が開錠可能な時間帯にない場合（ステップＳ５２；いいえ）は、そのまま判定処理（４）を終了する。
【０１０９】
以上説明したように、本実施の形態によれば、宅配箱９の有する非接触ＩＣカード１３に予め開錠条件データ４４１を記憶しておき、また、セキュリティルーム３へ入場する人の持つＩＤカード１９からユーザＩＤを入場ゲート７の近傍に備えられる非接触ＩＣカード１７で読み取り、入場者ＩＤとして保持しておく。セキュリティルーム３内に設置された載置台５に宅配箱９が載置されると、宅配箱９の開錠条件判定部２１は、載置台５に備えられる非接触リーダライタ１５を介して上記入場者ＩＤ８７１を取得するとともに上記開錠条件データを取得する。そして、取得した入場者ＩＤと開錠条件データとに応じて宅配箱９を開錠するか否かを判定する。
従って、宅配箱９を載置台５に載せた状態でないと宅配箱９を開錠するか否かを判定できず、宅配箱９を開錠できないため、宅配箱９の開錠場所を確実に特定できる。
【０１１０】
更に、開錠条件判定部２１は宅配箱９の備える非接触ＩＣカード１３に設定されている開錠条件データを用いて宅配箱９を開錠するか否かを判定するので、差出人は様々な条件を特定して宅配箱９を開錠させることができる。
具体的には、宅配箱９の開錠に際し、開錠条件として、必ず立ち会わなければならない人や立ち会いを禁止する人を差出人側で指定できるため、より高度で詳細なセキュリティ管理を行える。
【０１１１】
また、開錠条件として、ユーザＩＤ毎の重み付け点数データを設定でき、重み付けを用いた開錠の管理を可能とするので、例えば、企業における役職者と一般社員との立ち会いを容易に区別でき、様々な状況に対応したセキュリティ管理を行える。
【０１１２】
更に、開錠条件として、開錠可能な時間帯や回数等も指定できるため、より高度で詳細なセキュリティ管理を行える。
【０１１３】
また、宅配箱９の開錠に関する開錠履歴データ４４２を非接触ＩＣカード１３に記録するので、宅配箱９を開けた後に宅配箱９から非接触ＩＣカード１３を取り外して差出人に返送することで、差出人は宅配箱９の開錠の履歴を簡単に確認できる。
【０１１４】
なお、宅配箱９に装着する非接触ＩＣカード１３に代えて、ＩＣタグを使用してもよい。この場合は、載置台５の非接触リーダライタ１５に代えてＩＣタグのリーダライタを設置すればよい。
【０１１５】
同様に、ＩＤカード１９も非接触ＩＣカードとしたが、これに代えてＩＣタグを使用してもよい。この場合は、入場ゲート７の非接触リーダライタ１７や宅配箱９の非接触リーダライタ１１に代えてＩＣタグのリーダライタを設置すればよい。
【０１１６】
また、上述の実施の形態における宅配便システム１の例では、宅配箱９が開錠条件判定部２１を備え、宅配箱９の開錠条件判定部２１により開錠条件の判定を行うことにしたが、これに限るものではなく、載置台５の非接触リーダライタ１５が開錠条件判定部２１を備えることとしてもよい。
【０１１７】
この場合、載置台５の非接触リーダライタ１５のＲＯＭ８４には、上述の開錠条件データ取得処理、入場者ＩＤ取得処理、及び開錠条件の判定処理等を行うためのプログラム等が記憶されており、非接触リーダライタ１５のＣＰＵ８１は上記プログラムを読み出して、各処理を実行し、開錠条件の判定結果を非接触ＩＣカード１３に書き込むこととする。宅配箱９の制御部６１は非接触ＩＣカード１３に書き込まれた判定結果に応じてロック解除装置２５にロック解除指示を出力するようにしてもよい。
【０１１８】
また、宅配箱９の開錠条件判定部２１は、入場ゲート７の非接触リーダライタ１７で取得された入場者ＩＤ８７１を、通信Ｉ／Ｆ１８、載置台５の非接触リーダライタ１５、及び非接触ＩＣカード１３を介して取得するものとしたが、入場者ＩＤ８７１の取得方法はこれに限るものではなく、例えば、宅配箱９に非接触リーダライタ１７と通信接続するための通信部を更に設けるとともに、非接触リーダライタ１７にも宅配箱９と通信接続するための通信部を更に設け、開錠条件判定部２１は、これらの通信部を介して非接触リーダライタ１７において読み取られたユーザＩＤを入場者ＩＤ８７１として取得するものとしてもよい。
【０１１９】
また、更に、宅配箱９を開錠する際に、宅配箱９に備えられている非接触リーダライタ１１にＩＤカード１９をかざして、開錠する人のユーザＩＤを読み取らせるようにしてもよい。この場合、開錠条件判定部２１は、上述の判定処理に加え、非接触リーダライタ１１において読み取ったユーザＩＤと、開錠条件データ４４１に設定されている立会必須一覧データ４４１ａまたは立会禁止一覧データ４４１ｂ等と、から開錠条件の判定を行うようにすれば、更に厳重に開錠する人をチェックできるので、セキュリティ性を強化できる。
【０１２０】
また、本実施の形態において、非接触ＩＣカード１３は宅配箱９の底部に置かれ、非接触リーダライタ１５は載置台５の天板５１の下面に設置されることとしたが、これに限るものではない。
【０１２１】
図１７は非接触ＩＣカード１３と非接触リーダライタ１５との位置関係を示す図であり、（Ａ）は本実施の形態において宅配箱９が正面に向けて載置された様子を示し、（Ｂ）は宅配箱９が背面を向けて載置された様子を示し、（Ｃ）は他の実施例を示す図である。
【０１２２】
図１７（Ａ）と図１７（Ｂ）には、それぞれ非接触ＩＣカード１３が宅配箱９の底部に置かれ、非接触リーダライタ１５は載置台５の天板に設置されている例を示している。しかし、図１７（Ａ）と図１７（Ｂ）とでは、宅配箱９が前後逆に載置されている。セキュリティルーム３内では監視カメラにより宅配箱９を開錠する様子が撮影されることがあるが、図１７（Ａ）または図１７（Ｂ）のように、監視カメラの位置によっては宅配箱９の背面側を撮影することになってしまい、この場合は監視カメラによって宅配箱９の内容物を確認できない。
【０１２３】
図１７（Ｃ）では、非接触ＩＣカード１３は宅配箱９の側面に装着されている一方で、非接触リーダライタ１５は、宅配箱９を載置台５に載置した際に、この宅配箱９の側面の非接触ＩＣカード１３の内容を読み取り可能な位置に配置されている例を示している。
【０１２４】
具体的には、例えば、図１７（Ｃ）に示すように、載置台５は、その上面より起立する起立壁５２を備え、この起立壁５２に非接触リーダライタ１５を設けた例を示している。この起立壁５２において、宅配箱９が載置台５に置かれた状態で非接触ＩＣカード１３と向き合う位置に非接触リーダライタ１５を設けている。
【０１２５】
このように、宅配箱９の側面が壁の近傍に位置するように、宅配箱９を載置台５上に載置すれば、監視カメラに対して宅配箱９が背面を向けることなく載置でき、監視カメラで開錠の様子を確実に撮影できる。
【０１２６】
以上、添付図面を参照しながら本発明に係る宅配便システムの好適な実施形態について説明したが、前述した実施の形態に限定されない。当業者であれば、特許請求の範囲に記載された技術的思想の範疇内において各種の変更例または修正例に想到し得ることは明らかであり、それらについても当然に本発明の技術的範囲に属するものと了解される。
【図面の簡単な説明】
【０１２７】
【図１】本発明に係る宅配便システム１の全体の概要を示す図
【図２】宅配箱９の構成を示すブロック図
【図３】非接触ＩＣカード１３の構成を示すブロック図
【図４】開錠条件データ４４１の例を示す図
【図５】開錠履歴データ４４２の例を示す図
【図６】開錠条件判定部２１の構成を示すブロック図
【図７】非接触リーダライタ１７（非接触リーダライタ１５）の構成を示すブロック図
【図８】宅配便システム１において実行される処理全体の流れを説明するフローチャート
【図９】開錠条件データ４４１に立会必須一覧データ４４１ａ及び立会禁止一覧データ４４１ｂが含まれている場合に実行される判定処理（１）のフローチャート
【図１０】立会必須一覧データ４４１ａの一例を示す図
【図１１】立会禁止一覧データ４４１ｂの一例を示す図
【図１２】入場者ＩＤ８７１の一例を示す図
【図１３】開錠条件データ４４１に重み付け点数データ４４１ｃが含まれている場合に行われる判定処理（２）のフローチャート
【図１４】重み付け点数データ４４１ｃの一例を示す図
【図１５】開錠条件データ４４１に開錠可能時間帯データ４４１ｄが含まれている場合に実行される判定処理（３）のフローチャート
【図１６】開錠条件データ４４１に開錠可能回数データ４４１ｅが含まれている場合に実行される判定処理（４）のフローチャート
【図１７】非接触ＩＣカード１３と非接触リーダライタ１５との位置関係を示す図
【符号の説明】
【０１２８】
１・・・・・・宅配便システム
３・・・・・・セキュリティルーム
５・・・・・・載置台
７・・・・・・入場ゲート
９・・・・・・宅配箱
１３・・・・・・非接触ＩＣカード
１５・・・・・・非接触リーダライタ
１７・・・・・・非接触リーダライタ
１９・・・・・・ＩＤカード
２１・・・・・・開錠条件判定部
２５・・・・・・ロック解除装置
２７・・・・・・カウンタ
４４１・・・・・開錠条件データ
４４２・・・・・開錠履歴データ
８７１・・・・・入場者ＩＤ
【図１】
2008121209.tif 000003
【図２】
2008121209.tif 000004
【図３】
2008121209.tif 000005
【図４】
2008121209.tif 000006
【図５】
2008121209.tif 000007
【図６】
2008121209.tif 000008
【図７】
2008121209.tif 000009
【図８】
2008121209.tif 000010
【図９】
2008121209.tif 000011
【図１０】
2008121209.tif 000012
【図１１】
2008121209.tif 000013
【図１２】
2008121209.tif 000014
【図１３】
2008121209.tif 000015
【図１４】
2008121209.tif 000016
【図１５】
2008121209.tif 000017
【図１６】
2008121209.tif 000018
【図１７】
2008121209.tif 000019